(57)【要約】【課題】自動販売機本体に固定されたヒンジ支持板から下方に突出するヒンジ軸にて自販機本体前面の外扉を回動自在に軸支した自動販売機の外扉支持装置に関し、外扉のヒンジ軸周辺部分やヒンジ軸を工具等を用いて切断・破壊、あるいは外扉のこじ開け等の悪戯行為の防止を図る。【解決手段】外扉２を破壊して外扉２内に挿通されているヒンジ軸７を切断しようとしたり、または外扉２内でヒンジ軸７に講じられた抜け防止装置等を破壊・脱着しようとしても、外扉２の軸支側上角の前面、側面及び上面がカバー部材９で覆われているため、外扉２の破壊が防止されてヒンジ軸７への攻撃にまで至るのを阻止でき、またヒンジ軸７及びヒンジ支持板５を上方へ引抜こうとしても、ヒンジ支持板５の前面、側面及び上面をカバー部材９で覆っていることでヒンジ支持板５への攻撃を阻止することができる。【選択図】  図１
2004295617.tif 000002
【特許請求の範囲】
【請求項１】
自動販売機本体上面に固定されたヒンジ支持板と、前記ヒンジ支持板の下方に延びて一体形成されたヒンジ軸と、前記ヒンジ軸に回動自在に軸支された自動販売機本体の前面の外扉と、前記外扉の軸支側の上部角の前面、側面及び上面を覆い、且つ前記外扉を閉鎖状態にしたとき前記ヒンジ支持板の前面、側面及び上面を覆うカバー部材とを備えた自動販売機の外扉支持装置。
【請求項２】
前記カバー部材の一部を成し、前記ヒンジ軸の周囲を覆うカバー軸受け穴を備えたヒンジ軸受け部が、前記外扉の上面とヒンジ支持板との隙間に挟持された請求項１記載の自動販売機の外扉支持装置。
【請求項３】
前記カバー部材の前面部と、前記カバー部材の側面部と、前記ヒンジ軸受け部の３辺がそれぞれ連続一体を成し、前記外扉の上面と前記ヒンジ支持板との隙間を前面、側面から覆うように形成した請求項２記載の自動販売機の外扉支持装置。
【請求項４】
前記ヒンジ軸受け部が前記外扉の上面と前記ヒンジ支持板との隙間寸法に限りなく近い厚みを持つようにした請求項２または請求項３に記載の自動販売機の外扉支持装置。
【請求項５】
前記外扉の前面に設けられた締結穴と、前記カバー部材の前面部の裏に設けられ自販機本体の庫内側に鉛直に延びて前記締結穴に挿通させてあるカバーボルト部と、前記外扉の内側から前記カバーボルト部に締結したカバー用ナット部材とを備え、前記カバーボルト部がカバー部材の前面部の外表面に全く露出しない請求項１から請求項４のいずれか一項に記載の自動販売機の外扉支持装置。
【請求項６】
一端を前記カバーボルト部に締結され、他端を前記外扉の背面部に締結された架橋部材を備えた請求項５記載の自動販売機の外扉支持装置。
【請求項７】
前記ヒンジ軸の外周と、前記ヒンジ軸受け部のカバー軸受け穴の内周の間に位置し、前記ヒンジ支持板に筒状部材を固定形成したことを特長とする請求項２から請求項６のいずれか一項に記載の自動販売機の外扉支持装置。
【請求項８】
前記ヒンジ支持板のうち、前記カバー部材に覆われている部分を除く上面、前面、左側面、右側面の各々の少なくとも一部と、さらに背面を覆うように一体形成され、前記ヒンジ支持板に固定された支持板保護部材を備えた請求項１から請求項７のいずれか一項に記載の自動販売機の外扉支持装置。
【請求項９】
前記ヒンジ支持板に下面から上面に貫通するよう設けられた複数の保護部材固定用穴と、前記支持板保護部材下面に所定の間隔を設けて一体形成された取付け部と前記取付け部に設けられた複数の固定用下穴と、前記支持板保護部材と前記ヒンジ支持板とを固定する複数のネジとからなり、前記ネジは、前記ヒンジ支持板の下方から前記保護部材固定用穴を貫通して、前記支持板保護部材の固定用下穴に締め付けられている請求項８に記載の自動販売機の外扉支持装置。
【請求項１０】
前記支持板保護部材の上面、前面、側面が前記ヒンジ支持板上面に露出したヒンジ軸の上部を覆い隠した請求項８または請求項９に記載の自動販売機の外扉支持装置。
【請求項１１】
前記支持板保護部材の上面が前記ヒンジ支持板を自動販売機本体上面に固定する鋲螺等の頭部を覆い隠した請求項８から請求項１０のいずれか一項に記載の自動販売機の外扉支持装置。
【請求項１２】
前記支持板保護部材が、前記外扉の閉鎖時に前記カバー部材と隣接し合い相互に補完しあって、前記ヒンジ支持板のほぼ全体を覆い隠すように形成された請求項８から請求項１１のいずれか一項に記載の自動販売機の外扉支持装置。
【請求項１３】
前記カバー部材と前記支持板保護部材とに様々な塗色をほどこし、前記自動販売機本体や前記外扉との調和を図った請求項１２記載の自動販売機の外扉支持装置。
【発明の詳細な説明】
【０００１】
【発明の属する技術分野】
本発明は、自動販売機本体の前面を開閉する回動自在に軸支された外扉を備えた自動販売機の外扉支持装置に関するものである。
【０００２】
【従来の技術】
近年、市場における自動販売機は、前面を開口した自動販売機本体と、自動販売機本体の前面を開閉する外扉とを備え、自動販売機本体内に収納した商品を外扉に設けた商品取出口に搬出するようにしたものが知られている。この場合、外扉の幅方向一端側は自動販売機本体の上面に取付けたヒンジ支持板に上下方向に延びるヒンジ軸を介して回動自在に連結されている。また一方、この種の自動販売機は様々なロケーションから設置を要望されており、屋外設置された機械は通常人通りの多い場所に設置し、売上げを稼ぐようにすることが一般的である。しかし、昼間には人通りの多い場所であっても夜間には人通りが少なくなるため、深夜になると自動販売機の扉を破壊またはこじ開けて、収納している商品や金銭を奪うという不正行為がしばしば発生している。
【０００３】
従来の自動販売機の外扉支持装置としては、本体天面にヒンジ支持板を設け、外扉をヒンジ軸で支える構造（例えば、特許文献１参照）が開示されている。また、ヒンジ軸をカバーし、悪戯を防ぐもの（例えば、特許文献２参照）がある。
【０００４】
以下、図面を参照しながら上記従来の自動販売機の外扉支持装置について説明する。
【０００５】
図１０は、従来の自動販売機の外扉支持装置の詳細側面断面図である。図１１は、従来の自動販売機の外扉支持装置の要部外観斜視図である。図３、図４において、自動販売機本体１の前面に配置される外扉２は自動販売機本体前面に位置し一端を開閉自在に軸支されている。外扉軸受け穴３は外扉２の天面の一端に設けられた丸穴である。ヒンジボルト取付用丸穴４は本体１の天面に設けられている。ヒンジ支持板５は扉２を自動販売機本体１に軸支し、その下面に一体形成されたヒンジボルト６を複数個突出させ、また、同じく一体形成された丸軸であるヒンジ軸７を１個突出させている。ヒンジ用ナット部材８は、ボルト取付用丸穴４に上方から差し込まれた各ヒンジボルト６に下方から装着され、ヒンジ支持板５を自動販売機本体１に固定している。また、ヒンジ軸７は外扉軸受け穴３の内径よりも小さな外径にしてあり、軸受け穴３の中に差し込まれ、その下端は扉２の天面よりも下方に位置していて、ヒンジ軸係止用丸穴３からの抜け防止装置が取り付けてある（図示しない）のが一般的である。
【０００６】
以上のように構成された自動販売機の外扉支持装置について、以下その動作を説明する。
【０００７】
まず、ヒンジ支持板５はヒンジボルト取付用丸穴４に差し込んだヒンジーボルト６とヒンジ用ナット部材８とで自動販売機本体１に固定されており常に静止状態を保っている。このヒンジ支持板５にヒンジ軸７でもって軸支された外扉２が、ヒンジ軸７の周りを自在に回動し、通常の商品販売時には外扉２は閉じられ、中身商品の充填時には外扉２が開放される。一般的にこの種の自動販売機のヒンジ支持板５やヒンジ軸７の一部は、中身商品の充填しやすさを確保するため、自動販売機本体１と外扉２の外側に構成され、中身商品充填時の邪魔にならないように、また、外扉２の開放時の角度を大きくとれるようにしてある。
【０００８】
【特許文献１】
実開昭５１−７７１９７号公報
【特許文献２】
特開２００１−２２９４４６号公報
【０００９】
【発明が解決しようとする課題】
しかしながら、上記従来の構成では、工具等を用いて外扉の前面または側面または上面を破壊し、外扉内に挿通されているヒンジ軸を切断したり、外扉内でヒンジ軸に講じられた抜け防止装置等を破壊・脱着して外扉をこじ開け、収納している商品や金銭を奪うという不正行為がしばしば発生しているという課題を有していた。
【００１０】
本発明は従来の課題を解決するもので、外扉の前面または側面または上面を破壊し、外扉内に挿通されているヒンジ軸を切断したり、外扉内でヒンジ軸に講じられた抜け防止装置等を破壊・脱着し、ヒンジ支持板を上方へ引抜いて外扉をこじ開けるのを防止することができる自動販売機の外扉支持装置を提供することを目的とする。
【００１１】
また、上記従来の構成では、自動販売機本体と外扉の外側に露出したヒンジ支持板やヒンジ軸を工具等を用いて引張り、外扉の軸受け穴を破壊し外扉をこじ開け、収納している商品や金銭を奪うという不正行為がしばしば発生しているという課題を有していた。
【００１２】
本発明の他の目的は、外扉のヒンジ軸の挿通された箇所を補強し、工具等でヒンジ軸を横から引張って外扉の軸受け穴を破壊するのを防止することができる自動販売機の外扉支持装置を提供することを目的とする。
【００１３】
また、上記従来の構成では、外扉の上面とヒンジ支持板との隙間から工具等を用いてヒンジ軸を切断し外扉をこじ開け、収納している商品や金銭を奪うという不正行為がしばしば発生しているという課題を有していた。
【００１４】
本発明の他の目的は、外扉の上面とヒンジ支持板との隙間からヒンジ軸が見えなくなくなり、ヒンジ軸の破壊を防止することができる自動販売機の外扉支持装置を提供することを目的とする。
【００１５】
さらに、本発明の他の目的は、外扉の上面とヒンジ支持板との隙間をなくし、工具等を挿入してヒンジ軸を破壊することのできない自動販売機の外扉支持装置を提供することを目的とする。
【００１６】
また、本発明の他の目的は、外扉を補強するカバー部材がより破壊に強く、また外扉の外観が劣化しない自動販売機の外扉支持装置を提供することを目的とする。
【００１７】
また、上記従来の構成では、ヒンジ支持板やヒンジ軸と連結したままの外扉自身を工具等を用いて変形させ、露出させたヒンジ軸を切断し外扉をこじ開け、収納している商品や金銭を奪うという不正行為がしばしば発生しているという課題を有していた。
【００１８】
本発明の他の目的は、外扉自身の強度が大きく、外扉を変形させ、こじ開けるのを防止することができる自動販売機の外扉支持装置を提供することを目的とする。
【００１９】
また、本発明の他の目的は、ヒンジ軸の破壊をさらに困難にすることができる自動販売機の外扉支持装置を提供することを目的とする。
【００２０】
また、上記従来の構成では、ヒンジ軸周辺部以外でなくても、ヒンジ支持板の他の箇所を破壊したり、ヒンジ支持板の自動販売機本体への固定箇所を破壊してヒンジ支持板を浮かし、外扉をこじ開け、収納している商品や金銭を奪うという不正行為がしばしば発生しているという課題を有していた。
【００２１】
本発明の他の目的は、ヒンジ支持板のヒンジ軸周辺部以外を破壊して外扉をこじ開けるようとするのを、ヒンジ支持板を保護する部材等を設け防止することができる自動販売機の外扉支持装置を提供することを目的とする。
【００２２】
また、本発明の他の目的は、ヒンジ支持板を保護する部材等が破壊されにくくなった自動販売機の外扉支持装置を提供することを目的とする。
【００２３】
また、本発明の他の目的は、ヒンジ軸が上方から破壊されるのを防止することができる自動販売機の外扉支持装置を提供することを目的とする。
【００２４】
また、本発明の他の目的は、ヒンジ支持板の自動販売機本体への固定箇所が上方から破壊されるのを防止することができる自動販売機の外扉支持装置を提供することを目的とする。
【００２５】
また、本発明の他の目的は、ヒンジ軸、ヒンジ支持板を全方位的に見えなくすることにより、その箇所の破壊を防止することができる自動販売機の外扉支持装置を提供することを目的とする。
【００２６】
また、本発明の他の目的は、外扉の軸支部の存在、構造を判別しにくくしてヒンジ軸、ヒンジ支持板の破壊を防止しながらも、外観品位を損なうことのない自動販売機の外扉支持装置を提供することを目的とする。
【００２７】
【課題を解決するための手段】
本発明の請求項１に記載の発明は、自動販売機本体上面に固定されたヒンジ支持板と、前記ヒンジ支持板の下方に延びて一体形成されたヒンジ軸と、前記ヒンジ軸に回動自在に軸支された自動販売機本体の前面の外扉と、前記外扉の軸支側の上部角の前面、側面及び上面を覆い、且つ前記外扉を閉鎖状態にしたとき前記ヒンジ支持板の前面、側面及び上面を覆うカバー部材とからなり、これにより、外扉の前面、側面、上面を破壊して外扉内に挿通されているヒンジ軸を切断しようとしたり、または外扉内でヒンジ軸に講じられた抜け防止装置等を破壊・脱着しようとしても、外扉の軸支側上角の前面、側面及び上面がカバー部材で覆われているため、外扉の破壊が防止されてヒンジ軸への攻撃にまで至るのを阻止でき、またヒンジ軸及びヒンジ支持板を上方へ引抜こうとしても、ヒンジ支持板の前面、側面及び上面をカバー部材で覆っていることでヒンジ支持板への攻撃を阻止することができるという作用を有する。
【００２８】
請求項２に記載の発明は、請求項１に記載の発明に、さらに、カバー部材の一部を成し、ヒンジ軸の周囲を覆うカバー軸受け穴を備えたヒンジ軸受け部が、外扉の上面とヒンジ支持板との隙間に挟持されたものであり、これにより、外扉の上面とヒンジ支持板との隙間から工具等を挿入し、外扉を引裂いてヒンジ軸を引き外そうとしても、ヒンジ軸と嵌合・連結されたヒンジ軸受け部がカバー部材と一体となって外扉を強固に補強し、ヒンジ軸引き外しの破壊を防止することができるという作用を有する。
【００２９】
請求項３に記載の発明は、請求項２に記載の発明に、さらに、カバー部材の前面部と、カバー部材の側面部と、ヒンジ軸受け部の３辺がそれぞれ連続一体を成し、外扉の上面と前記ヒンジ支持板との隙間を前面、側面から覆うように形成したものであり、これにより、外扉の上面とヒンジ支持板との隙間からヒンジ軸が見えなくなくなり、隙間からの工具等の挿入によるヒンジ軸の破壊を防止することができるという作用を有する。特に、ただ単にヒンジ軸の周囲に防御壁を設けたような従来からあるものでは、簡単に壁を曲げられヒンジ軸が露出してしまうが、本発明ではヒンジ軸受け部がカバー部材の前面部と側面部とそれぞれ連続一体を成しつつ、ヒンジ軸と嵌合・連結しており、これを破壊・変形してヒンジ軸を露出させることは極めて困難であるという作用を有する。
【００３０】
請求項４に記載の発明は、請求項２または請求項３に記載の発明に、さらに、ヒンジ軸受け部が外扉の上面とヒンジ支持板との隙間寸法に限りなく近い厚みを持つように形成したものであり、これにより、外扉の上面とヒンジ支持板との隙間がなくなり先端の薄い工具や細い工具の侵入をも防止し、ヒンジ軸の破壊をより確実に防止することができるという作用を有する。
【００３１】
請求項５に記載の発明は、請求項１から請求項４のいずれか一項に記載の発明に、さらに、外扉の前面に設けられた締結穴と、カバー部材の前面部の裏に設けられ自販機本体の庫内側に鉛直に延びて前記締結穴に挿通させてあるカバーボルト部と、外扉の内側からカバーボルト部に締結したカバー用ナット部材とを備え、カバーボルト部がカバー部材の前面部の外表面に全く露出しないように形成したものであり、これにより、外扉に締結されたカバー部材を引き剥がそうとしてもそのボルト締結の位置を認識できず、その行為を阻止することができるという作用を有する。また、同時にボルトの露出による自動販売機の外観の劣化を防止することができるという作用を有する。
【００３２】
請求項６に記載の発明は、請求項５に記載の発明に、さらに、一端をカバーボルト部に締結され、他端を外扉の背面部に締結された架橋部材を備えものであり、これにより、工具等によりカバー部材の前面部をボルト固定された外扉の前面ごと手前に引き出して変形させ、外扉内に挿通されているヒンジ軸を切断しようとしたり、または外扉内でヒンジ軸に講じられた抜け防止装置等を破壊・脱着しようとしても、外扉の前面およびカバー部材の前面部が外扉の背面部と架橋部材とで連結され強固な箱体を形成することで、その行為を阻止することができるという作用を有する。
【００３３】
請求項７に記載の発明は、請求項２から請求項６のいずれか一項に記載の発明に、さらにヒンジ軸の外周と、前記ヒンジ軸受け部のカバー軸受け穴の内周の間に位置し、前記ヒンジ支持板に筒状部材を固定形成したものであり、これにより、外扉の上面とヒンジ支持板との隙間から工具等を挿入し、ヒンジ軸を切断・破壊しようとしても、ヒンジ軸が防盗筒によって包囲されており、直接ヒンジ軸を攻撃することができないという作用を有する。
【００３４】
請求項８に記載の発明は、請求項１から請求項７のいずれか一項に記載の発明に、さらに、ヒンジ支持板のうち、カバー部材に覆われている部分を除く上面、前面、左側面、右側面の各々の少なくとも一部と、背面を覆うように一体形成され、前記ヒンジ支持板に固定された支持板保護部材を備えたものであり、これにより、ヒンジ支持板を工具等を用いて破壊しようとしても、支持板保護部材がヒンジ支持板の上面、前面、左側面、右側面の各々の少なくとも一部と、背面を保護しているのでヒンジ支持板を完全に破壊することができないという作用を有する。
【００３５】
請求項９に記載の発明は、請求項８記載の発明に、さらに、ヒンジ支持板に下面から上面に貫通するよう設けられた複数の保護部材固定用穴と、支持板保護部材下面に所定の間隔を設けて一体形成された取付け部と取付け部に設けられた複数の固定用下穴と、支持板保護部材とヒンジ支持板とを固定する複数のネジとからなり、ネジは、ヒンジ支持板の下方から保護部材固定用穴を貫通して、支持板保護部材の固定用下穴に締め付けられているものであり、これにより、ヒンジ支持板と支持板保護部材との固定箇所を破壊して支持板保護部材を引き剥がそうとしても、その固定の位置が外から認識できず、その行為を阻止することができるという作用を有する。また、ネジを緩めて外すことにより支持板保護部材の交換が容易にでき、支持板保護部材を様々な塗色を施したものに交換することで、デザイン性訴求力を高めることができるという作用を有する。
【００３６】
請求項１０に記載の発明は、請求項８または請求項９記載の発明に、さらに、ヒンジ支持板保護部材の上面、前面、側面がヒンジ支持板上面に露出したヒンジ軸の上部を覆い隠したものであり、これにより、ヒンジ支持板に固定されたヒンジ軸を上方から破壊して外扉をこじ開けようとしてもそのヒンジ軸の位置を認識できず、その行為を阻止することができるという作用を有する。
【００３７】
請求項１１に記載の発明は、請求項８から請求項１０のいずれか一項に記載の発明に、さらに、ヒンジ支持板保護部材の上面がヒンジ支持板を自動販売機本体上面に固定する鋲螺等の頭部を覆い隠したものであり、これにより、ヒンジ支持板に固定された鋲螺等を上方から破壊して外扉をこじ開けようとしてもその鋲螺等の位置を認識できず、その行為を阻止することができるという作用を有する。
【００３８】
請求項１２に記載の発明は、請求項８から請求項１１のいずれか一項に記載の発明に、さらに、支持板保護部材が、外扉の閉鎖時にカバー部材と隣接し合い相互に補完しあって、ヒンジ支持板のほぼ全体を覆い隠すように形成されたものであり、これにより、外扉を閉じている時にはヒンジ支持板のみならず、ヒンジ軸、ヒンジ支持板の固定鋲螺等のほぼ全てが全方位から見えなくなり、外扉の軸支を破壊しようとしても、どこをどう狙えば良いのか検討がつかず、また、工具等で攻撃する隙間もなく、外扉の破壊を防止することができるという作用を有する。
【００３９】
請求項１３に記載の発明は請求項１２記載の発明に、さらに、カバー部材と支持板保護部材とに様々な塗色をほどこし、自動販売機本体や前記外扉との調和を図ったものであり、これにより、外扉の軸支部の存在、構造を判別しにくくする保護色効果があるのとともに、従来ヒンジ支持板、ヒンジ軸としてしか認識されていなかった箇所にデザイン性をもたせ、外扉や自動販売機本体との一体感を演出し、外観品位を向上させることができるという作用を有する。
【００４０】
【発明の実施の形態】
以下、本発明による自動販売機の防盗装置の実施の形態について、図面を参照しながら説明する。なお、従来と同一構成については、同一符号を付して詳細な説明を省略する。
【００４１】
（実施の形態１）
図１は本発明の実施の形態１による自動販売機の外扉支持装置の要部外観斜視図である。図２は、同実施の形態の自動販売機の外扉支持装置の要部正面図である。図３は、同実施の形態の自動販売機の外扉支持装置の要部側面図である。図４は、同実施の形態の自動販売機の外扉支持装置のカバー部材の詳細斜視図である。図５は、同実施の形態の自動販売機の外扉支持装置の詳細側面断面図である。
【００４２】
図１、図２、図３、図４、図５において、カバー部材９は外扉２の軸支側上角の前面、側面及び上面を覆い、且つ外扉２を閉鎖状態にしたときヒンジ支持板５の前面、側面及び上面を覆う。ヒンジ軸受け部１０はカバー部材９の一部を成し、ヒンジ軸７の周囲を覆うカバー軸受け穴１１を備え、外扉２の上面とヒンジ支持板５との隙間に挟持されている。また、このヒンジ軸受け部１０とカバー部材９の前面部１２と、カバー部材９の左側面部１３とがそれぞれ連続一体を成し、外扉２の上面とヒンジ支持板５との隙間を前面、及び左側面から覆うように形成している。また、右側面部１４はカバー部材９の一部を成し、ヒンジ支持板５の右側面の少なくとも一部を覆い、且つ外扉２の上面とヒンジ支持板５との隙間を右側面から覆っている。また、上面部１５はカバー部材９の一部を成し、外扉２の上面とヒンジ支持板５それぞれの少なくとも一部を覆っている。また、カバーボルト部１６はカバー部材９の前面部１２の裏に複数個設けられており、ヒンジ支持板５自動販売機本体１の庫内側に向かって鉛直に延びている。
【００４３】
このカバーボルト部１６はカバー部材９の前面部１２の外表面に全く露出しないようにスタッド溶接等で形成してあるものである。また、外扉２の前面にはカバーボルト部１６と同数の締結穴１７が設けられている。カバー部材９の外扉２への固定は、外扉２の前面側からこの締結穴１７にカバーボルト部１６を挿通して、外扉２の内側からそれぞれのカバーボルト部１６にカバー用ナット部材１８を締結するようになされている。さらに、架橋部材１９は一端を外扉２の内側からカバーボルト部１６にカバー用ナット部材１８によってに締結され、他端を外扉の背面部２０に締結（図示しない）されている。また、ヒンジ軸７の外周に設けられ、かつヒンジ軸受け部１０のカバー軸受け穴１１の内周に設けられ、ヒンジ支持板５に固定形成された防盗筒２１とを備えたものである。
【００４４】
以上のように構成された自動販売機の外扉支持装置について、以下その動作を説明する。
【００４５】
まず、ヒンジ支持板５はヒンジボルト取付用丸穴４に差し込んだヒンジボルト６とヒンジ用ナット部材８とで自動販売機本体１に固定されており常に静止状態を保っている。このヒンジ支持板５にヒンジ軸７でもって軸支された外扉２が、ヒンジ軸７の周りを自在に回動し、通常の商品販売時には外扉２は閉じられ、中身商品の充填時には外扉２が開放されるようになっているのは従来例と同様である。
【００４６】
次に、工具等を用いて力ずくで外扉２をこじ開けて、収納している商品や金銭を奪うという不正行為を行うために、外扉２の軸支側上角の前面、側面、上面を破壊して外扉２の内側に挿通されているヒンジ軸７を切断しようとしたり、または外扉２の内側でヒンジ軸７に講じられた抜け防止装置（図示しない）等を破壊・脱着しようとしても、外扉２の軸支側上角の前面、側面及び上面がそれぞれ、カバー部材９の前面部１２、左側面部１３、上面部１５によって覆われているため、外扉２の破壊が防止されてヒンジ軸７への攻撃にまで至るのを阻止できる。またヒンジ軸７及びヒンジ支持板５を上方へ引抜こうとしても、やはりヒンジ支持板５の前面、側面及び上面がそれぞれ、カバー部材９の前面部１２、右側面部１４、上面部１５によって覆われているのでヒンジ支持板５への攻撃を阻止することができる。
【００４７】
さらに、外扉２の上面とヒンジ支持板５との隙間から工具等を挿入し、外扉２を引裂いてヒンジ軸７を引き外そうとしても、ヒンジ軸７と嵌合・連結され外扉２の上面とヒンジ支持板５との隙間に挟持されたヒンジ軸受け部１０がカバー部材９と一体となって外扉２を強固に補強し、ヒンジ軸７引き外しの破壊を防止することができる。
【００４８】
さらに、カバー部材９の前面部１２と、カバー部材９の左側面部１３と、カバー部材９のヒンジ軸受け部１０がそれぞれ連続一体を成して外扉２の上面とヒンジ支持板５との隙間を前面、側面から覆うことにより、外扉２の上面とヒンジ支持板５との隙間からヒンジ軸７が見えなくなくなり、隙間からの工具等の挿入によるヒンジ軸７の破壊を防止することができる。
【００４９】
特に、ただ単にヒンジ軸７の周囲に防御壁を設けたような従来からあるものでは、簡単に壁を曲げられヒンジ軸が露出してしまうが、本発明ではヒンジ軸受け部１０が前面部１２と左側面部１３のそれぞれと連続一体を成しつつ、ヒンジ軸７と嵌合・連結しており、これを破壊・変形してヒンジ軸７を露出させることは極めて困難であるという効果がある。なお、どうしてもカバー部材９の前面部１２、左側面部１３、ヒンジ軸受け部１０のそれぞれを連続一体にすることができない場合でも前面部１２または左側面部１３のどちらか一方のみをヒンジ軸受け部１０と連続一体にするだけでもある程度の効果を得ることができる。
【００５０】
さらに、ヒンジ軸受け部１０の厚みを外扉２の上面とヒンジ支持板５との隙間寸法に限りなく近づけることにより、外扉２の上面とヒンジ支持板５との隙間がなくなり先端の薄い工具や細い工具の侵入をも防止し、ヒンジ軸７の破壊をより確実に防止することができる。
【００５１】
さらに、外扉２に締結されたカバー部材９を引き剥がそうとしても、外扉２の外表面に全く露出しないカバーボルト部１６の締結の位置を認識できず、その行為を阻止することができる。また、同時にカバーボルト部１６の露出による自動販売機の外観の劣化を防止することができる。
【００５２】
さらに、工具等によりカバー部材９の前面部１２をボルト固定された外扉２の前面ごと手前に引き出して変形させ、外扉２の内側に挿通されているヒンジ軸７を切断しようとしたり、または外扉２の内側でヒンジ軸７に講じられた抜け防止装置（図示しない）等を破壊・脱着しようとしても、外扉２の前面およびカバー部材９の前面部１２が外扉２の背面部２０と架橋部材１９とで連結され強固な箱体を形成することで、その行為を阻止することができる。
【００５３】
さらに、外扉２の上面とヒンジ支持板５との隙間を工具等で無理やりこじ拡げ、ヒンジ軸７を露出させて切断・破壊しようとしても、ヒンジ軸７が防盗筒２１によって全周囲を包囲されており、直接ヒンジ軸７を攻撃することを阻止することができる。
【００５４】
（実施の形態２）
図６は本発明の実施の形態２による自動販売機の外扉支持装置の要部外観斜視図である。図７は、同実施の形態の自動販売機の外扉支持装置のヒンジ支持板と支持板保護部材の要部外観斜視図である。図８は、同実施の形態の自動販売機の外扉支持装置のヒンジ支持板と支持板保護部材の詳細側面断面図である。図９は、同実施の形態の自動販売機の外扉支持装置のヒンジ支持板と支持板保護部材の分解斜視図である。
【００５５】
図６、図７、図８、図９において、支持板保護部材２２はヒンジ支持板５のうち、カバー部材９に覆われていない上面、前面、左側面、右側面の各々の少なくとも一部と、背面を覆うように一体形成されたものである。取付け部２３は支持板保護部材２２下面に一体形成され、支持板保護部材２２下面と所定の間隔を保っている。取付け部２３には複数の固定用下穴２４が設けてある。また、ヒンジ支持板５には下面から上面に貫通するよう複数の保護部材固定用サラモミ穴２５が固定用下穴２４と同数設けてある。
【００５６】
また、固定用下穴２４と同数のサラモミネジ２６は、ヒンジ支持板５の下方から保護部材固定用サラモミ穴２５を貫通して、支持板保護部材２２の固定用下穴２４に締め付けられているものである。なお、保護部材固定用サラモミ穴２５、固定用下穴２４、サラモミネジ２６は全て支持板保護部材２２に覆われていて、外観からの目視はできない。さらに、ヒンジ支持板保護部材２２のそれぞれ上面、前面、左側面に当たる保護上面部２７、保護前面部２８、保護左側面部２９がヒンジ支持板５上面に露出したヒンジ軸７の上部を覆い隠したものである。
【００５７】
また、その他の構成は実施の形態１と同様である。なお、保護部材固定用サラモミ穴２５、サラモミネジ２６は、自動販売機本体１への取付け時に支障がなければ、両者とも特にサラモミ形状でなくても良い。
【００５８】
以上のように構成された自動販売機の外扉支持装置について、以下その動作を説明する。
【００５９】
まず、ヒンジ支持板５はヒンジボルト取付用丸穴４に差し込んだヒンジボルト６とヒンジ用ナット部材８とで自動販売機本体１に固定されており常に静止状態を保っている。このヒンジ支持板５にヒンジ軸７でもって軸支された外扉２が、ヒンジ軸７の周りを自在に回動し、通常の商品販売時には外扉２は閉じられ、中身商品の充填時には外扉２が開放されるようになっているのは従来例と同様である。
【００６０】
次に、ヒンジ支持板５を工具等を用いて破壊しようとしても、支持板保護部材２２がヒンジ支持板５の上面、前面、左側面、右側面の各々の少なくとも一部と、背面を保護しているのでヒンジ支持板５を完全に破壊することを阻止することができる。
【００６１】
さらに、ヒンジ支持板５と支持板保護部材２２との固定箇所を破壊して支持板保護部材２２を引き剥がそうとしても、その固定の位置が外から認識できず、その行為を阻止することができる。また一方で、サラモミネジ２６を緩めて外すことにより支持板保護部材２２の交換が容易にでき、支持板保護部材２２を様々な塗色を施したものや、形状の異なったものに交換することで、デザイン性訴求力を高めることができる。なお、２５は保護部材固定用サラモミ穴、２６はサラモミネジとしたが、自動販売機本体１への取付け時に支障がなければ、両者とも特にサラモミ形状でなくても良い。
【００６２】
さらに、ヒンジ支持板保護部材２２のそれぞれ保護上面部２７、保護前面部２８、保護左側面部２９がヒンジ支持板５上面に露出したヒンジ軸７の上部を覆い隠しているので、ヒンジ支持板５に固定されたヒンジ軸７を上方から破壊して外扉２をこじ開けようとしてもそのヒンジ軸７の位置を認識できず、その行為を阻止することができる。
【００６３】
さらに、ヒンジ支持板保護部材２２の保護上面部２７がヒンジ支持板５を自動販売機本体１の上面に固定するヒンジボルト６の上部を完全に覆い隠しており、ヒンジボルト６を上方から破壊してヒンジ支持板５を強制的に浮かせて外扉２をこじ開けようとしても、そのヒンジボルト６の位置を認識できず、その行為を阻止することができる。
【００６４】
さらに、支持板保護部材２２が、外扉２の閉鎖時にカバー部材９と隣接し合い相互に補完しあって、ヒンジ支持板５のほぼ全体を覆い隠すように形成されたことにより、外扉２を閉じている時にはヒンジ支持板５のみならず、ヒンジ軸７、ヒンジ支持板５のヒンジボルト７のほぼ全てが全方位から見えなくなり、外扉２の軸支を破壊しようとしても、どこをどう狙えば良いのか検討がつかず、また、工具等で攻撃する隙間もなく、外扉２の破壊を防止することができる。
【００６５】
さらに、カバー部材９と支持板保護部材５とに様々な塗色をほどこし、自動販売機本体１や外扉２との調和を図ったものであり、これにより、外扉２の軸支部の存在、構造を判別しにくくする保護色効果があるのとともに、従来ヒンジ支持板５、ヒンジ軸７としてしか認識されていなかった箇所にデザイン性をもたせ、外扉２や自動販売機本体１との一体感を演出し、外観品位を向上させることができる。
【００６６】
【発明の効果】
以上説明したように本発明は、自動販売機本体上面に固定されたヒンジ支持板と、ヒンジ支持板の下方に延びて一体形成されたヒンジ軸と、ヒンジ軸に回動自在に軸支された自動販売機本体の前面の外扉と、外扉の軸支側上角の前面、側面及び上面を覆い、且つ外扉を閉鎖状態にしたときヒンジ支持板の前面、側面及び上面を覆うカバー部材とからなる。
【００６７】
これにより、外扉の前面、側面、上面を破壊して外扉内に挿通されているヒンジ軸を切断しようとしたり、または外扉内でヒンジ軸に講じられた抜け防止装置等を破壊・脱着しようとしても、外扉の軸支側上角の前面、側面及び上面がカバー部材で覆われているため、外扉の破壊が防止されてヒンジ軸への攻撃にまで至るのを阻止でき、またヒンジ軸及びヒンジ支持板を上方へ引抜こうとしても、ヒンジ支持板の前面、側面及び上面をカバー部材で覆っていることでヒンジ支持板への攻撃を阻止することができるという効果がある。
【００６８】
さらに、カバー部材の一部を成し、ヒンジ軸の周囲を覆うカバー軸受け穴を備えたヒンジ軸受け部が、外扉の上面とヒンジ支持板との隙間に挟持されたものであり、これにより、外扉の上面とヒンジ支持板との隙間から工具等を挿入し、外扉を引裂いてヒンジ軸を引き外そうとしても、ヒンジ軸と嵌合・連結されたヒンジ軸受け部がカバー部材と一体となって外扉を強固に補強し、ヒンジ軸引き外しの破壊を防止することができるという効果がある。
【００６９】
さらに、カバー部材の前面部と、カバー部材の側面部と、ヒンジ軸受け部がそれぞれ連続一体を成し、外扉の上面と前記ヒンジ支持板との隙間を前面、側面から覆うように形成したものであり、これにより、外扉の上面とヒンジ支持板との隙間からヒンジ軸が見えなくなくなり、隙間からの工具等の挿入によるヒンジ軸の破壊を防止することができるという効果がある。特に、ただ単にヒンジ軸の周囲に防御壁を設けたような従来からあるものでは、簡単に壁を曲げられヒンジ軸が露出してしまうが、本発明ではヒンジ軸受け部がカバー部材の前面部と側面部とそれぞれ連続一体を成しつつ、ヒンジ軸と嵌合・連結しており、これを破壊・変形してヒンジ軸を露出させることは極めて困難であるという効果がある。
【００７０】
さらに、ヒンジ軸受け部が外扉の上面とヒンジ支持板との隙間寸法に限りなく近い厚みを持つように形成したものであり、これにより、外扉の上面とヒンジ支持板との隙間がなくなり先端の薄い工具や細い工具の侵入をも防止し、ヒンジ軸の破壊をより確実に防止することができるという効果がある。
【００７１】
さらに、外扉の前面に設けられた締結穴と、カバー部材の前面部の裏に設けられ自販機本体の庫内側に鉛直に延びて前記締結穴に挿通させてあるカバーボルト部と、外扉の内側からカバーボルト部に締結したカバー用ナット部材とを備え、カバーボルト部がカバー部材の前面部の外表面に全く露出しないように形成したものであり、これにより、外扉に締結されたカバー部材を引き剥がそうとしてもそのボルト締結の位置を認識できず、その行為を阻止することができるという作用を有する。また、同時にボルトの露出による自動販売機の外観の劣化を防止することができるという効果がある。
【００７２】
さらに、一端をカバーボルト部に締結され、他端を外扉の背面部に締結された架橋部材を備えものであり、これにより、工具等によりカバー部材の前面部をボルト固定された外扉の前面ごと手前に引き出して変形させ、外扉内に挿通されているヒンジ軸を切断しようとしたり、または外扉内でヒンジ軸に講じられた抜け防止装置等を破壊・脱着しようとしても、外扉の前面およびカバー部材の前面部が外扉の背面部と架橋部材とで連結され強固な箱体を形成することで、その行為を阻止することができるという効果がある。
【００７３】
さらに、ヒンジ軸の外周に設けられ、かつヒンジ軸受け部のカバー軸受け穴の内周に設けられ、ヒンジ支持板に固定形成された防盗筒とを備えたものであり、これにより、外扉の上面とヒンジ支持板との隙間から工具等を挿入し、ヒンジ軸を切断・破壊しようとしても、ヒンジ軸が防盗筒によって包囲されており、直接ヒンジ軸を攻撃することができないという効果がある。
【００７４】
さらに、ヒンジ支持板のうち、カバー部材に覆われていない上面、前面、左側面、右側面の各々の少なくとも一部と、背面を覆うように一体形成され、ヒンジ支持板に固定された支持板保護部材を備えたものであり、これにより、ヒンジ支持板を工具等を用いて破壊しようとしても、支持板保護部材がヒンジ支持板の上面、前面、左側面、右側面の各々の少なくとも一部と、背面を保護しているのでヒンジ支持板を完全に破壊することができないという効果がある。
【００７５】
さらに、ヒンジ支持板に下面から上面に貫通するよう設けられた複数の保護部材固定用サラモミ穴と、支持板保護部材下面に所定の間隔を設けて一体形成された取付け部と取付け部に設けられた複数の固定用下穴と、支持板保護部材とヒンジ支持板とを固定する複数のサラモミネジとからなり、サラモミネジは、ヒンジ支持板の下方から保護部材固定用サラモミ穴を貫通して、支持板保護部材の固定用下穴に締め付けられているものであり、これにより、ヒンジ支持板と支持板保護部材との固定箇所を破壊して支持板保護部材を引き剥がそうとしても、その固定の位置が外から認識できず、その行為を阻止することができるという効果がある。また、サラモミネジを緩めて外すことにより支持板保護部材の交換が容易にでき、支持板保護部材を様々な塗色を施したものに交換することで、デザイン性訴求力を高めることができるという効果がある。なお、保護部材固定用サラモミ穴、サラモミネジとしたものは、自動販売機本体への取付け時に支障がなければ、両者とも特にサラモミ形状でなくても良い。
【００７６】
さらに、ヒンジ支持板保護部材の上面、前面、側面がヒンジ支持板上面に露出したヒンジ軸の上部を覆い隠したものであり、これにより、ヒンジ支持板に固定されたヒンジ軸を上方から破壊して外扉をこじ開けようとしてもそのヒンジ軸の位置を認識できず、その行為を阻止することができるという効果がある。
【００７７】
さらに、ヒンジ支持板保護部材の上面がヒンジ支持板を自動販売機本体上面に固定する鋲螺等の上部を覆い隠したものであり、これにより、ヒンジ支持板に固定された鋲螺等を上方から破壊して外扉をこじ開けようとしてもその鋲螺等の位置を認識できず、その行為を阻止することができるという効果がある。
【００７８】
さらに、支持板保護部材が、外扉の閉鎖時にカバー部材と隣接し合い相互に補完しあって、ヒンジ支持板のほぼ全体を覆い隠すように形成されたものであり、これにより、外扉を閉じている時にはヒンジ支持板のみならず、ヒンジ軸、ヒンジ支持板の固定鋲螺等のほぼ全てが全方位から見えなくなり、外扉の軸支を破壊しようとしても、どこをどう狙えば良いのか検討がつかず、また、工具等で攻撃する隙間もなく、外扉の破壊を防止することができるという効果がある。
【００７９】
さらに、カバー部材と支持板保護部材とに様々な塗色をほどこし、自動販売機本体や前記外扉との調和を図ったものであり、これにより、外扉の軸支部の存在、構造を判別しにくくする保護色効果があるのとともに、従来ヒンジ支持板、ヒンジ軸としてしか認識されていなかった箇所にデザイン性をもたせ、外扉や自動販売機本体との一体感を演出し、外観品位を向上させることができるという効果がある。図９は、同実施の形態の自動販売機の外扉支持装置の支持板保護部材の分解斜視図である。
【図面の簡単な説明】
【図１】本発明による自動販売機の外扉支持装置の実施の形態１の要部外観斜視図
【図２】同実施の形態の自動販売機の外扉支持装置の要部正面図
【図３】同実施の形態の自動販売機の外扉支持装置の要部側面図
【図４】同実施の形態の自動販売機の外扉支持装置のカバー部材の詳細斜視図
【図５】同実施の形態の自動販売機の外扉支持装置の詳細側面断面図
【図６】本発明による自動販売機の外扉支持装置の実施の形態２の要部外観斜視図
【図７】同実施の形態の自動販売機の外扉支持装置のヒンジ支持板と支持板保護部材の要部外観斜視図
【図８】同実施の形態の自動販売機の外扉支持装置のヒンジ支持板と支持板保護部材の詳細側面断面図
【図９】同実施の形態の自動販売機の外扉支持装置のヒンジ支持板と支持板保護部材の分解斜視図
【図１０】従来の自動販売機の外扉支持装置の詳細側面断面図
【図１１】従来の自動販売機の外扉支持装置の要部外観斜視図
【符号の説明】
２    外扉
５    ヒンジ支持板
７    ヒンジ軸
９    カバー部材
１０  ヒンジ軸受け部
１１  カバー軸受け穴
１２  前面部
１３  左側面部（側面部）
１６  カバーボルト部
１７  締結穴
１８  カバー用ナット部材
１９  架橋部材
２１  防盗筒
２２  支持板保護部材
２３  取付け部
２４  固定用下穴
２５  保護部材固定用サラモミ穴（保護部材固定用穴）
２６  サラモミネジ（ネジ）
【図１】
2004295617.tif 000003
【図２】
2004295617.tif 000004
【図３】
2004295617.tif 000005
【図４】
2004295617.tif 000006
【図５】
2004295617.tif 000007
【図６】
2004295617.tif 000008
【図７】
2004295617.tif 000009
【図８】
2004295617.tif 000010
【図９】
2004295617.tif 000011
【図１０】
2004295617.tif 000012
【図１１】
2004295617.tif 000013